(57)【要約】  空気調和機の室内機は、気体が流入する吸込口が形成された吸込みグリルと、吸込みグリルが取り付けられ、気体が流出する吹出口が形成された化粧パネルと、化粧パネルが取り付けられ、吸込口と吹出口との間に風路を形成する筐体と、筐体内において吸込みグリルと対向して配置されており、吸込口から気体を流入させ、吹出口から気体を流出させる送風機と、筐体内において送風機と吹出口との間の風路に配置され、内部を流れる冷媒と気体とを熱交換させる熱交換器と、冷媒の漏洩を検知する冷媒検知センサと、を備え、吸込みグリルは、熱交換器よりも下方に配置されており、冷媒検知センサは、熱交換器よりも下方に設置されると共に、吸込みグリルと送風機との間に配置されているものである。
2019162993.tif 000002
【特許請求の範囲】
【請求項１】
気体が流入する吸込口が形成された吸込みグリルと、
前記吸込みグリルが取り付けられ、前記気体が流出する吹出口が形成された化粧パネルと、
前記化粧パネルが取り付けられ、前記吸込口と前記吹出口との間に風路を形成する筐体と、
前記筐体内において前記吸込みグリルと対向して配置されており、前記吸込口から前記気体を流入させ、前記吹出口から前記気体を流出させる送風機と、
前記筐体内において前記送風機と前記吹出口との間の前記風路に配置され、内部を流れる冷媒と前記気体とを熱交換させる熱交換器と、
前記冷媒の漏洩を検知する冷媒検知センサと、
を備え、
前記吸込みグリルは、
前記熱交換器よりも下方に配置されており、
前記冷媒検知センサは、
前記熱交換器よりも下方に設置されると共に、前記吸込みグリルと前記送風機との間に配置されている空気調和機の室内機。
【請求項２】
前記冷媒検知センサの検知部は、前記吸込口から前記送風機に向かう前記気体の流れに対して直角に向いて設置されている請求項１に記載の空気調和機の室内機。
【請求項３】
前記冷媒検知センサを前記筐体内に固定する箱状のセンサホルダーを更に有し、
前記冷媒検知センサは、前記センサホルダー内に配置されている請求項１又は２に記載の空気調和機の室内機。
【請求項４】
前記センサホルダーは、前記吸込みグリルと前記送風機との間に配置されている請求項３に記載の空気調和機の室内機。
【請求項５】
空気調和機の室内機を制御する制御装置を内部に備えた電気品箱を更に有し、
前記センサホルダーは、前記電気品箱の側壁に固定されている請求項３又は４に記載の空気調和機の室内機。
【請求項６】
前記センサホルダーには、前記冷媒検知センサと対向する位置に複数の貫通孔が形成されており、
前記複数の貫通孔を形成する前記センサホルダーの各壁間の幅は、人の指の太さよりも小さい請求項３〜５のいずれか１項に記載の空気調和機の室内機。
【請求項７】
前記吸込口から流入する前記気体の温度を検知する温度センサを更に備え、
前記温度センサは、前記センサホルダー内に配置されている請求項３〜６のいずれか１項に記載の空気調和機の室内機。
【請求項８】
前記センサホルダーは、
前記冷媒検知センサを収容する第一収容部と、
前記温度センサを収容する第二収容部と、
を有し、
前記第一収容部の空間と、前記第二収容部の空間とは、仕切部によって遮断されている請求項７に記載の空気調和機の室内機。
【請求項９】
前記筐体は、天井内に配置される請求項１〜８のいずれか１項に記載の空気調和機の室内機。
【請求項１０】
請求項１〜９のいずれか１項に記載の空気調和機の室内機を備えた空気調和機。
【発明の詳細な説明】
【技術分野】
【０００１】
本発明は、冷媒漏洩を検知するガスセンサを備えた空気調和機の室内機、及びこの室内機を備えた空気調和機に関するものである。
【背景技術】
【０００２】
従来の空気調和機に使用されている冷媒には可燃性を持つものがある。そのため、空気調和機の室内機等から可燃性の冷媒が漏洩した際には、漏洩した冷媒が一定の濃度を超えると冷媒に着火の危険性がある。そこで、例えばＲ３２冷媒等の可燃性冷媒の漏洩を検知するために、温度センサを複数箇所に設置した空気調和機の室内機が提案されている（例えば、特許文献１参照）。特許文献１の空気調和機の室内機は、空気温度と配管内の冷媒温度との差異から冷媒が漏洩したか否かを検知している。
【先行技術文献】
【特許文献】
【０００３】
【特許文献１】特開２０１６−１９１５３１号公報
【発明の概要】
【発明が解決しようとする課題】
【０００４】
空気調和機の室内機に流れる冷媒の温度は、冷房時、暖房時、あるいは、室外機の霜取り運転時など、様々な運転状態により著しく変換する。そのため、室内空気と配管内の冷媒温度との差異を検知して発報する従来技術では、例えば、室外機の霜取り運転時の際に変化する冷媒温度と変化しない室内温度との間に温度差の差異が生じ、誤検知する恐れがある。【０００５】
本発明は、上記のような課題を解決するためのものであり、空気調和機の室内機から冷媒が漏洩した際の、冷媒の検知精度を向上させた空気調和機の室内機、及びこの室内機を備えた空気調和機を提供するものである。
【課題を解決するための手段】
【０００６】
本発明に係る空気調和機の室内機は、気体が流入する吸込口が形成された吸込みグリルと、吸込みグリルが取り付けられ、気体が流出する吹出口が形成された化粧パネルと、化粧パネルが取り付けられ、吸込口と吹出口との間に風路を形成する筐体と、筐体内において吸込みグリルと対向して配置されており、吸込口から気体を流入させ、吹出口から気体を流出させる送風機と、筐体内において送風機と吹出口との間の風路に配置され、内部を流れる冷媒と気体とを熱交換させる熱交換器と、冷媒の漏洩を検知する冷媒検知センサと、を備え、吸込みグリルは、熱交換器よりも下方に配置されており、冷媒検知センサは、熱交換器よりも下方に設置されると共に、吸込みグリルと送風機との間に配置されているものである。
【発明の効果】
【０００７】
本発明に係る空気調和機の室内機は、吸込みグリルが、熱交換器よりも下方に配置されており、冷媒検知センサが、熱交換器よりも下方に設置されると共に、吸込みグリルと送風機との間に配置されている。そのため、送風機の運転時には、筐体内から漏れた冷媒が希釈され、冷媒漏洩を瞬時に検出できない場合でも、室内における冷媒濃度が可燃域に達する前に、吹出口から流出し吸込口から流入する気体に含まれる冷媒を冷媒検知センサが検知することができる。また、送風機の停止時には筐体底部に冷媒が滞留することで、冷媒検知センサが冷媒漏洩を検知することができる。これらの結果、空気調和機の室内機から冷媒が漏洩した際の、冷媒の検知精度を向上させることができる。
【図面の簡単な説明】
【０００８】
【図１】本発明の実施の形態１に係る空気調和機の室内機の下面図である。
【図２】図１の室内機のＡ−Ａ線断面図である。
【図３】図１の室内機の吸込みグリルを外した下面図である。
【図４】本発明の実施の形態１に係る空気調和機の室内機に設置されるセンサホルダーの正面図である。
【図５】図４のセンサホルダーの右側面図である。
【図６】図４のセンサホルダーの左側面図である。
【図７】図４のセンサホルダーの分解斜視図である。
【図８】図４のセンサホルダーの他の方向から見た分解斜視図である。
【図９】本発明の実施の形態２に係る空気調和機の室内機に設置されるセンサホルダーの分解斜視図である。
【図１０】本発明の実施の形態２に係る空気調和機の室内機に設置されるセンサホルダーの他の方向から見た分解斜視図である。
【図１１】本発明の実施の形態３に係る空気調和機の構成を示す模式図である。
【発明を実施するための形態】
【０００９】
以下、本発明の実施の形態に係る空気調和機の室内機１００、及びこの室内機１００を備えた空気調和機２００について図面等を参照しながら説明する。なお、図１を含む以下の図面では、各構成部材の相対的な寸法の関係及び形状等が実際のものとは異なる場合がある。また、以下の図面において、同一の符号を付したものは、同一又はこれに相当するものであり、このことは明細書の全文において共通することとする。また、理解を容易にするために方向を表す用語（例えば「上」、「下」、「右」、「左」、「前」、「後」など）を適宜用いるが、それらの表記は、説明の便宜上、そのように記載しているだけであって、装置あるいは部品の配置及び向きを限定するものではない。
【００１０】
実施の形態１．
［室内機１００］
図１は、本発明の実施の形態１に係る空気調和機の室内機１００の下面図である。図２は、図１の室内機１００のＡ−Ａ線断面図である。図１を含む以下の図面に示すＸ軸は、室内機１００の左右の幅方向を示し、Ｙ軸は室内機１００の前後方向を示し、Ｚ軸は室内機１００の上下方向を示すものである。より詳細には、Ｘ軸においてＸ１側を左側、Ｘ２側を右側、Ｙ軸においてＹ１側を前側、Ｙ２側を後側、Ｚ軸においてＺ１側を上側、Ｚ２側を下側として室内機１００を説明する。また、明細書中における各構成部材同士の位置関係（例えば、上下関係等）は、原則として、室内機１００を使用可能な状態に設置したときのものである。本実施の形態では、室内の天井に埋め込むことができる天井埋め込み型で、四方向に吹出口１３ｃを形成している四方向カセット型の室内機１００について説明する。室内機１００は、冷媒配管により室外機と接続し、冷媒を循環して冷凍、空気調和などを行う冷媒回路を構成する。なお、この室内機１００の室内熱交換器３０に使用される冷媒は、空気よりも密度の大きい冷媒が用いられる。ただし、室内機１００の室内熱交換器３０に使用される冷媒は、空気よりも密度の大きい冷媒に限定されるものではなく、空気と同じ、あるいは、空気よりも密度の小さい冷媒を用いてもよい。
【００１１】
室内機１００は、冷媒を循環させる冷凍サイクルを利用することで、部屋等の空調空間に空調空気を供給するものである。まず、室内機１００の外部構成について図１及び図２を用いて説明する。室内機１００は、図２に示すように、送風機２０、室内熱交換器３０等を内部に収容する筐体１０を有している。筐体１０は、天井壁を構成する天板１１と、前後左右の４つの側壁を構成する側板１２とを有しており、室内に面する下方側（Ｚ２側）が開口している。そして、筐体１０の開口部分には、平面視で略四角形状の化粧パネル１３が取り付けられる。
【００１２】
化粧パネル１３は、板状の部材であり、一方の面は天井及び壁などの被取付部に面しており、他方の面は空調の対象空間となる室内に面している。図１及び図２に示すように、化粧パネル１３の中央付近には貫通孔である開口部１３ａが形成されており、開口部１３ａには、吸込みグリル１４が取り付けられている。この吸込みグリル１４には、空調の対象空間となる室内から筐体１０内に気体が流入する吸込口１４ａが形成されている。吸込みグリル１４の筐体１０側には、吸込みグリル１４を通過した後の空気を除塵するフィルタ（図示せず）が配置されている。化粧パネル１３の外縁部１３ｂと、開口部１３ａを形成する内縁部との間の化粧パネル１３には、気体が流出する吹出口１３ｃが形成されている。気体の吹出口１３ｃは、化粧パネル１３の４つの各辺に沿ってそれぞれ形成されている。各吹出口１３ｃには、風向きを変更するベーン１５が設けられている。筐体１０は、筐体１０の内部において、吸込口１４ａと吹出口１３ｃとの間に風路を形成する。
【００１３】
図３は、図１の室内機１００の吸込みグリル１４を外した下面図である。次に、図２及び図３を用いて室内機１００の内部構成について説明する。室内機１００は、吸込口１４ａから室内の気体を流入させ、吹出口１３ｃから室内に気体を流出させる送風機２０を有している。送風機２０は、筐体１０内において吸込みグリル１４と対向して配置されている。また、送風機２０は、回転軸が鉛直方向（Ｚ軸方向）に向くように筐体１０内に配置されている。
【００１４】
また、室内機１００は、筐体１０内において送風機２０と吹出口１３ｃとの間の風路に配置され、室内熱交換器３０の内部を流れる冷媒と風路を流れる気体とを熱交換させる室内熱交換器３０を有している。室内熱交換器３０は、筐体１０内において送風機２０と吹出口１３ｃとの間の風路に配置されている。室内熱交換器３０は、内部を流れる冷媒と室内空気とを熱交換させることで空調空気を作り出す。室内熱交換器３０は、例えば、フィンチューブ型の熱交換器であり、気体の流れにおいて、送風機２０の下流側で送風機２０を囲むように配置されている。たとえば、後述する空気調和機２００に、本実施の形態の室内機１００を適用する際には、室内熱交換器３０は、冷房運転時には蒸発器として機能し、暖房運転時には凝縮器として機能する。送風機２０及び室内熱交換器３０は、筐体１０内において、吸込口１４ａよりも空気の下流側に配置され、吹出口１３ｃよりも空気の上流側に配置されている。また、室内機１００は、送風機２０が、吸込みグリル１４の上方に配置されており、室内熱交換器３０が、送風機２０の径方向に配置されている。また、室内機１００は、吸込みグリル１４が、室内熱交換器３０よりも下方に配置されている。
【００１５】
また、室内機１００は、ベルマウス１６を有している。ベルマウス１６は、図２及び図３に示すように、室内機１００の空気の流入側において、送風機２０の上流側に設置されている。ベルマウス１６は、吸込みグリル１４の吸込口１４ａから流入した気体を整流して送風機２０に送る。
【００１６】
また、室内機１００は、筐体１０内において、ベルマウス１６と、吸込みグリル１４との間に、電気品箱４０を備える。電気品箱４０は、室内機１００を制御する制御装置などの装置を内部に備えた箱である。電気品箱４０内の装置は、室内機１００の機器に電力供給を行い、また、信号の送受信（通信）を行う。また、電気品箱４０には、後述する冷媒検知センサ５０及び温度センサ７０からの信号を処理する制御部８０が配置されている。制御部８０は、例えば、プログラムを記憶する記憶手段と、プログラムにしたがって処理を実行するＣＰＵ（Ｃｅｎｔｒａｌ  Ｐｒｏｃｅｓｓｉｎｇ  Ｕｎｉｔ）とを有する。なお、制御部８０は、後述するセンサホルダー６０内に設けられてもよい。電気品箱４０は、略直方体状に形成されている。電気品箱４０は、室内側から天井を見た平面視において、化粧パネル１３に形成された開口部１３ａ内に配置されており、電気品箱４０の長手方向が、開口部１３ａの一辺を形成する化粧パネル１３の縁部に沿って配置されている。電気品箱４０は、例えば、ねじ等の固定部材によって筐体１０内に固定されている。
【００１７】
また、室内機１００は、冷媒の漏洩を検知する冷媒検知センサ５０を備える。冷媒検知センサ５０は、例えば、円筒形状に形成されている。冷媒検知センサ５０は、主に半導体を感ガス素子に用いており酸素濃度に起因して出力を出すものであり、例えば、金属酸化物半導体が気体に含まれるガスと接触したときに生じる抵抗値変化をガス濃度として検知する。冷媒検知センサ５０は、室内機１００からの給電、又は室内機１００が設置された現地の外部電源からの給電により駆動してもよい。冷媒検知センサ５０を、室内機１００又は外部電源からの給電駆動としない場合には、例えば、電気品箱４０あるいはセンサホルダー６０にバッテリーを内蔵することができる。
【００１８】
冷媒検知センサ５０は、室内熱交換器３０よりも下方に設置されると共に、吸込みグリル１４と送風機２０との間に配置されている。すなわち、冷媒検知センサ５０は、図２に示すように、ベルマウス１６及び室内熱交換器３０よりも下方に位置する室内機１００の底部に配置される。また、冷媒検知センサ５０は、吸込みグリル１４に形成された吸込口１４ａの近傍に配置される。冷媒検知センサ５０が、ベルマウス１６及び室内熱交換器３０よりも下方に位置する室内機１００の底部に配置される理由は、室内機１００の運転停止時には、吹出口１３ｃに設けられたベーン１５が閉じているため、筐体１０内から冷媒が漏れにくい構造となる。そのため、筐体１０内に冷媒が充満し、漏洩した冷媒が蓄積する室内機１００の底部に冷媒検知センサ５０を配置することが望ましいからである。また、冷媒検知センサ５０が、吸込みグリル１４に形成された吸込口１４ａの近傍に配置される理由は、送風機２０の運転時には、流入する空気により室内機１００の底部に蓄積した冷媒が希釈する。また、冷媒検知センサ５０は、半導体を感ガス素子に用いており酸素濃度に起因して出力を出すセンサの特徴から、漏洩した冷媒の検出が困難となる。そこで、送風機２０の運転時には、吹出口１３ｃから冷媒が室内に放出されるので、室内の冷媒濃度が高くなり、それを吸込口１４ａから吸込んだ際に検知できるよう、室内空間に近い吸込口１４ａの近傍に配置されることが望ましいからである。なお、吸込口１４ａの近傍とは、天井等の被取付部に対する垂直方向（Ｚ軸方向）において、送風機２０と、吸込みグリル１４との間であり、より詳細には、ベルマウス１６と、吸込みグリル１４との間である。さらに、吸込口１４ａの近傍とは、室内側から天井を見た平面視において、化粧パネル１３に形成された開口部１３ａ内の位置である。この冷媒検知センサ５０は、センサホルダー６０内に配置されている。冷媒検知センサ５０は、センサホルダー６０が取り付けられた電気品箱４０のねじを外して筐体１０から電気品箱４０を取り外すことで、センサ交換の作業を行うことができるので、サービス性に優れる。
【００１９】
図４は、本発明の実施の形態１に係る空気調和機の室内機１００に設置されるセンサホルダー６０の正面図である。図５は、図４のセンサホルダー６０の右側面図である。図６は、図４のセンサホルダー６０の左側面図である。図７は、図４のセンサホルダー６０の分解斜視図である。図８は、図４のセンサホルダー６０の他の方向から見た分解斜視図である。次に図４〜図８を用いてセンサホルダー６０について説明する。なお、図４〜図６に示すＸ軸、Ｙ軸、Ｚ軸は、センサホルダー６０を室内機１００に設置した際の軸方向である。また、以下の説明で、センサホルダー６０において、第一収容部６１と第二収容部６２との連結方向を長手方向（Ｙ軸方向）と称し、また、板状に形成された底部６１ａ及び底部６２ａに対する垂直方向を高さ方向（Ｘ軸方向）と称する。さらに、長手方向（Ｙ軸方向）と、垂直方向（Ｘ軸方向）とに直角な方向を短手方向（Ｚ軸方向）と称する。
【００２０】
センサホルダー６０は、冷媒検知センサ５０及び温度センサ７０を筐体１０内に固定するものであり、また、塵埃などから冷媒検知センサ５０及び温度センサ７０を保護するものである。また、センサホルダー６０は、冷媒検知センサ５０の検知部５１が金属の場合は通電時に人の指が触れないように、人の指と検知部５１との接触を妨げるものである。センサホルダー６０は、例えばＰＳ（ポリスチレン）等の樹脂部品である。センサホルダー６０内には、冷媒検知センサ５０と温度センサ７０とが併設されている。冷媒検知センサ５０と温度センサ７０とを１つのセンサホルダー６０内に一緒にすることでこれらを保護するカバーが１つですむ。また、冷媒検知センサ５０のサービス部品のカバーも温度センサ７０と共通化できる。センサホルダー６０は、箱状に形成されている。センサホルダー６０は、図２及び図３に示すように、吸込口１４ａと送風機２０との間の風路に面する電気品箱４０の側壁４０ａに差し込む形で固定されており、冷媒検知センサ５０及び温度センサ７０は電気品箱４０から突出して配置されている。このセンサホルダー６０は、室内側から天井を見た平面視において、化粧パネル１３に形成された開口部１３ａ内に配置されている。また、センサホルダー６０は、天井等の被取付部に対する垂直方向（Ｚ軸方向）において、吸込みグリル１４と送風機２０との間に配置されており、より詳細には、吸込みグリル１４と、ベルマウス１６との間に配置されている。センサホルダー６０は、電気品箱４０に差し込まれる。センサホルダー６０が、電気品箱４０に差し込まれることで各センサに接続されるリード線の取り回しの必要がなく、リード線の距離を短くできる。リード線を電源線等と並走させると、冷媒検知センサ５０の出力信号にノイズが乗ることが懸念される。センサホルダー６０を、電気品箱４０に直接取り付けることで、リード線の距離が短くなり、冷媒検知センサ５０の出力信号のノイズを抑制することができる。
【００２１】
センサホルダー６０は、図４に示すように、長手方向（Ｙ軸方向）に沿って、第一収容部６１と、第二収容部６２とを有する。第一収容部６１には、図８及び図９に示すように、冷媒検知センサ５０が収容されており、第二収容部６２には温度センサ７０が収容されている。なお、温度センサ７０は、例えばサーミスタである。第一収容部６１及び第二収容部６２は、図４〜図９に示すように、それぞれ略直方体形状に形成されており、第一収容部６１と第二収容部６２とは一体に形成されている。第一収容部６１の底部６１ａと第二収容部６２の底部６２ａとは板状に一体に形成されており、外周面において底部６１ａと底部６２ａとの間は平坦状に形成されている。第二収容部６２の高さ方向（Ｘ軸方向）の大きさは、第一収容部６１の高さ方向（Ｘ軸方向）の大きさよりも大きい。第一収容部６１の短手方向の側壁６１ｅと、底部６１ａと、天板６１ｂと、第二収容部６２の短手方向の側壁６２ｅと、底部６２ａとは、短手方向（Ｚ軸方向）に分割されている。そのため、センサホルダー６０は、第二収容部６２の天板６２ｂのみを接続した状態で、短手方向（Ｚ軸方向）に２つに分割することができる。
【００２２】
第一収容部６１の天板６１ｂから側壁６１ｃの上端部にかけて貫通孔６１ｄが形成されている。冷媒検知センサ５０は、貫通孔６１ｄから第一収容部６１の内部に流入する気体を検知する。この貫通孔６１ｄは、スリット状に形成されている。貫通孔６１ｄは、天板６１ｂの長手方向（Ｙ軸方向）において、第二収容部６２とは反対側（Ｙ１側）の端部に形成されている。また、貫通孔６１ｄは、天板６１ｂの短手方向（Ｚ軸方向）の両端部にそれぞれ形成されている。さらに、貫通孔６１ｄは、第一収容部６１の長手方向（Ｙ軸方向）に複数形成されている。複数の貫通孔６１ｄを形成するセンサホルダー６０の各壁６１ｆ間の幅は、人の指の太さよりも小さい。そのため、貫通孔６１ｄは、人の指が貫通しない大きさに形成されている。冷媒検知センサ５０の検知部５１に、素手で触れられないように貫通孔６１ｄの開口部の幅が規定されている。なお、センサホルダー６０は、樹脂部品であり、作業者に触られても問題がない。複数の貫通孔６１ｄは、冷媒検知センサ５０と対向する位置に形成されている。より、詳細には、貫通孔６１ｄは、冷媒検知センサ５０を構成する円筒部分が見える位置にしか開口していない。吸込口１４ａから風が来た際に、風が円筒部周辺を通過する必要がある。ただし、吸込口１４ａから来た風を無駄に取り込みすぎると、雑ガス等で発報するため開口面積は必要最低限とする。なお、図７及び図８に示すように、冷媒検知センサ５０の検知部５１は、天板６１ｂと対向するように配置されている。図２及び図３に示すように、センサホルダー６０が筐体１０内に配置されると、冷媒検知センサ５０の検知部５１は、吸込口１４ａから送風機２０に向かう気体の流れに対して直角に向いており、筐体１０内に吸い込まれる空気の向きと対向しない向きに配置される。筐体１０内に吸い込まれる気体に含まれる塵埃等により冷媒検知センサ５０の検知部５１が目詰まりを起こさせないためである。
【００２３】
第二収容部６２の天板６２ｂから側壁６２ｃにかけて貫通孔６２ｄが形成されている。貫通孔６２ｄは、スリット状に形成されている。貫通孔６２ｄは、側壁６２ｃの高さ方向（Ｘ軸方向）において、高さ方向（Ｘ軸方向）の中央部６２ｇから先端側に形成されている。貫通孔６２ｄは、天板６２ｂの長手方向（Ｙ軸方向）に沿って、複数形成されている。また、貫通孔６２ｄは、天板６２ｂの短手方向（Ｚ軸方向）の両端部にそれぞれ形成されている。複数の貫通孔６２ｄを形成するセンサホルダー６０の各壁６２ｆ間の幅は、人の指の太さよりも小さい。そのため、貫通孔６２ｄは、人の指が貫通しない大きさに形成されている。複数の貫通孔６２ｄは、温度センサ７０と対向する位置に形成されている。温度センサ７０は、センサホルダー６０内に配置されており、貫通孔６２ｄから第二収容部６２の内部に流入する気体の温度を検知し、吸込口１４ａから流入する気体の温度を検知する。
【００２４】
第二収容部６２には、底部６２ａの外壁面から高さ方向（Ｘ軸方向）に膨出する略直方体状の膨出部６４ｂが形成されている。センサホルダー６０は、膨出部６４ｂが電気品箱４０の側壁４０ａに挿入されることで、図３に示すように電気品箱４０に固定される。図７及び図８に示すように、膨出部６４ｂの先端部６４ｂ１には開口部６４ｂ２が形成されている。膨出部６４ｂには、開口部６４ｂ２と膨出部６４ｂの内部空間とを連通する貫通孔６４ｂ３が形成されている。この貫通孔６４ｂ３には、冷媒検知センサ５０と電気品箱４０内に収容されている制御部８０とを接続するケーブル、あるいは、冷媒検知センサ５０に給電するためのケーブルが配置される。
【００２５】
次に、室内機１００の動作について説明する。室内機１００において、送風機２０が駆動すると、室内の空気が吸込口１４ａから吸い込まれてフィルターにより清浄化され、ベルマウス１６を通過して送風機２０の羽根車内に流入し、複数の羽根の間から羽根車の外周側に流出する。羽根車から流出した空気は、室内熱交換器３０の内部を流通する冷媒との熱交換により冷却又は加熱され、冷風又は温風となって吹出口１３ｃから室内に吹き出される。この際、冷媒が漏洩している場合には、冷媒は吹出口１３ｃから室内に吹き出され、吹き出された冷媒は吸込口１４ａから吸い込まれる。そして、冷媒検知センサ５０は、室内に漏れ出た冷媒を吸込んだ際に冷媒の存在を検知する。これに対し、室内機１００において、送風機２０の運転が停止していると、筐体１０内のどの配管から冷媒が漏洩しても、筐体１０内に冷媒が充満し、漏洩した冷媒が蓄積する室内機１００の底部に配置された冷媒検知センサ５０が冷媒を検知する。
【００２６】
以上のように、空気調和機の室内機１００は、吸込みグリル１４が、室内熱交換器３０よりも下方に配置されており、冷媒検知センサ５０が、室内熱交換器３０よりも下方に設置されると共に、吸込みグリル１４と送風機２０との間に配置されている。一般に、送風機２０の運転時には、筐体１０内から漏れた冷媒が希釈され、冷媒漏洩を瞬時に検出できない場合がある。しかし、その場合でも、室内における冷媒濃度が可燃域に達する前に、吹出口１３ｃから流出し、吸込口１４ａから流入する気体に含まれる冷媒を冷媒検知センサ５０が検知することができる。また、送風機２０の停止時には筐体１０の底部に冷媒が滞留することで、冷媒検知センサ５０が冷媒漏洩を検知することができる。そのため、空気調和機の室内機１００は、冷媒が漏洩した際の、冷媒の検知精度を向上させることができる。その結果、室内機１００は、冷媒検知センサ５０が冷媒の漏洩を検知し下限着火濃度に達しないよう安全な空気調和機を実現できる。
【００２７】
また、空気調和機の室内機１００は、冷媒検知センサ５０の検知部５１が、吸込口１４ａから送風機２０に向かう気体の流れに対して直角に向いて設置されている。そのため、冷媒検知センサ５０は、筐体１０内に吸い込まれる空気の向きと対向しない向きに配置される。その結果、筐体１０内に吸い込まれる気体に含まれる塵埃等によって、冷媒検知センサ５０の検知部５１の目詰まりが生じることを抑制することができる。
【００２８】
また、空気調和機の室内機１００は、冷媒検知センサ５０を筐体１０内に固定する箱状のセンサホルダー６０を有し、冷媒検知センサ５０は、センサホルダー６０内に配置されている。そのため、冷媒検知センサ５０は、筐体１０内において、室内熱交換器３０よりも下方に設置されると共に、吸込みグリル１４と送風機２０との間に配置することができる。また、冷媒検知センサ５０は、塵埃などの堆積から保護することができる。また、冷媒検知センサ５０の検知部５１が金属の場合は通電時に作業者の指が触れないように、人の指と検知部５１との接触を妨げることができる。
【００２９】
また、空気調和機の室内機１００は、センサホルダー６０が吸込みグリル１４と送風機２０との間に配置されている。そのため、冷媒検知センサ５０は、上述のとおり、塵埃からの保護、あるいは、作業者との接触を防ぎつつ、空気調和機の室内機１００が、冷媒が漏洩した際の、冷媒の検知精度を向上させることができる。その結果、室内機１００は、冷媒検知センサ５０が冷媒の漏洩を検知し下限着火濃度に達しないよう安全な空気調和機を実現できる。
【００３０】
また、空気調和機の室内機１００は、空気調和機の室内機１００を制御する制御装置を内部に備えた電気品箱４０を有し、センサホルダー６０は、電気品箱４０の側壁４０ａに固定されている。冷媒検知センサ５０は、センサホルダー６０が取り付けられた電気品箱４０のねじを外して筐体１０から電気品箱４０を取り外すことで、センサ交換の作業を行うことができるので、サービス性に優れる。
【００３１】
また、空気調和機の室内機１００は、センサホルダー６０には、冷媒検知センサ５０と対向する位置に複数の貫通孔６１ｄが形成されており、複数の貫通孔６１ｄを形成するセンサホルダー６０の各壁６１ｆ間の幅は、人の指の太さよりも小さい。そのため、冷媒検知センサ５０の検知部５１が金属の場合は通電時に作業者の指が触れないように、人の指と検知部５１との接触を妨げることができる。
【００３２】
また、空気調和機の室内機１００は、吸込口１４ａから流入する気体の温度を検知する温度センサ７０を更に備え、温度センサ７０は、センサホルダー６０内に配置されている。そのため、空気調和機の室内機１００は、温度を測定することもでき、例えば、冷媒の漏洩の検知等の種々の測定の精度を更に向上させることもできる。
【００３３】
実施の形態２．
図９は、本発明の実施の形態２に係る空気調和機の室内機１００に設置されるセンサホルダー６０の分解斜視図である。図１０は、本発明の実施の形態２に係る空気調和機の室内機１００に設置されるセンサホルダー６０の他の方向から見た分解斜視図である。図１〜図８の室内機１００と同一の構成を有する部位には同一の符号を付してその説明を省略する。図９及び図１０を用いて、実施の形態２の室内機１００について説明する。上述したように、センサホルダー６０内には、冷媒検知センサ５０と温度センサ７０とが併設されている。冷媒検知センサ５０と温度センサ７０とは、１つのセンサホルダー６０内で区切られている。ここで、冷媒検知センサ５０は、例えば、感ガス体に電圧を印加し化学反応を促進させているが、感ガス体の温度は、３００℃〜４００℃の温度に達する。そのため、実施の形態２の室内機１００は、室内から吸い込む空気の温度を検出する温度センサ７０の検出温度に影響がでないように、センサホルダー６０内において、冷媒検知センサ５０と温度センサ７０との間に仕切部６３が設けられている。そして、センサホルダー６０は、第一収容部６１の空間と、第二収容部６２の空間とが、仕切部６３によって遮断されている。仕切部６３は、冷媒検知センサ５０が配置された空間と、温度センサ７０が配置された空間とを区画する板部６３ａと板部６３ｂとの２枚の板から構成されている。仕切部６３を構成する板部６３ａと板部６３ｂは、互いに対向するように配置され、互いの板の間には空間が形成されている。なお、仕切部６３は、板部６３ａと板部６３ｂとの間に空間が形成されている構成ではなく、板部６３ａと板部６３ｂとが一体となった一枚の板で形成されてもよい。
【００３４】
以上のように、空気調和機の室内機１００は、センサホルダー６０が、第一収容部６１の空間と、第二収容部６２の空間とが、仕切部６３によって遮断されている。そのため、室内機１００は、センサホルダー６０内における冷媒検知センサ５０の併設による温度センサ７０の検出温度への影響を防ぐことができる。
【００３５】
実施の形態３．
［空気調和機２００］
図１１は、本発明の実施の形態３に係る空気調和機２００の構成を示す模式図である。なお、実施の形態３に係る空気調和機２００に用いられる室内機１００は、実施の形態１及び実施の形態２の図１〜図１０に示す室内機１００と同一である。実施の形態３に係る空気調和機２００は、冷媒を介して外気と室内の空気との間で熱を移動させることにより、室内を暖房又は冷房して空気調和を行う。実施の形態３に係る空気調和機２００は、室外機１５０と、室内機１００とを有する。空気調和機２００は、室外機１５０と室内機１００とが冷媒配管３００及び冷媒配管４００により配管接続されて、冷媒が循環する冷媒回路が構成されている。冷媒配管３００は、気相の冷媒が流れるガス配管であり、冷媒配管４００は、液相の冷媒が流れる液配管である。なお、冷媒配管４００には、気液二相の冷媒を流してもよい。そして、空気調和機２００の冷媒回路では、圧縮機３１、流路切替装置３２、室外熱交換器３３、膨張弁３４、室内熱交換器３０が冷媒配管を介して順次接続されている。なお、この空気調和機２００に使用される冷媒は、空気よりも密度の大きい冷媒が用いられる。ただし、空気調和機２００に使用される冷媒は、空気よりも密度の大きい冷媒に限定されるものではなく、空気と同じ、あるいは、空気よりも密度の小さい冷媒を用いてもよい。
【００３６】
（室外機１５０）
室外機１５０は、圧縮機３１、流路切替装置３２、室外熱交換器３３、及び膨張弁３４を有している。圧縮機３１は、吸入した冷媒を圧縮して吐出する。ここで、圧縮機３１は、インバータ装置を備えていてもよく、インバータ装置によって運転周波数を変化させて、圧縮機３１の容量を変更することができるように構成されてもよい。なお、圧縮機３１の容量とは、単位時間当たりに送り出す冷媒の量である。流路切替装置３２は、例えば四方弁であり、冷媒流路の方向の切り換えが行われる装置である。空気調和機２００は、制御装置（図示せず）からの指示に基づいて、流路切替装置３２を用いて冷媒の流れを切り換えることで、暖房運転又は冷房運転を実現することができる。
【００３７】
室外熱交換器３３は、冷媒と室外空気との熱交換を行う。室外熱交換器３３は、暖房運転時には蒸発器の働きをし、冷媒配管４００から流入した低圧の冷媒と室外空気との間で熱交換を行って冷媒を蒸発させて気化させる。室外熱交換器３３は、冷房運転時には、凝縮器の働きをし、流路切替装置３２側から流入した圧縮機３１で圧縮済の冷媒と室外空気との間で熱交換を行って、冷媒を凝縮させて液化させる。室外熱交換器３３には、冷媒と室外空気との間の熱交換の効率を高めるために、室外送風機３６が設けられている。室外送風機３６は、インバータ装置を取り付け、ファンモータの運転周波数を変化させてファンの回転速度を変更してもよい。膨張弁３４は、絞り装置（流量制御手段）であり、膨張弁３４を流れる冷媒の流量を調節することにより、膨張弁として機能し、開度を変化させることで、冷媒の圧力を調整する。例えば、膨張弁３４が、電子式膨張弁等で構成された場合は、制御装置（図示せず）等の指示に基づいて開度調整が行われる。
【００３８】
（室内機１００）
室内機１００は、冷媒と室内空気との間で熱交換を行う室内熱交換器３０及び、室内熱交換器３０が熱交換を行う空気の流れを調整する室内送風機３７を有する。室内熱交換器３０は、暖房運転時には、凝縮器の働きをし、冷媒配管３００から流入した冷媒と室内空気との間で熱交換を行い、冷媒を凝縮させて液化させ、冷媒配管４００側に流出させる。室内熱交換器３０は、冷房運転時には蒸発器の働きをし、膨張弁３４によって低圧状態にされた冷媒と室内空気との間で熱交換を行い、冷媒に空気の熱を奪わせて蒸発させて気化させ、冷媒配管３００側に流出させる。室内送風機３７は、室内熱交換器３０と対面するように設けられている。室内送風機３７の運転速度は、ユーザの設定により決定される。室内送風機３７には、インバータ装置を取り付け、ファンモータの運転周波数を変化させてファンの回転速度を変更してもよい。
【００３９】
［空気調和機２００の動作例］
次に、空気調和機２００の動作例として冷房運転動作を説明する。圧縮機３１によって圧縮され吐出された高温高圧のガス冷媒は、流路切替装置３２を経由して、室外熱交換器３３に流入する。室外熱交換器３３に流入したガス冷媒は、室外送風機３６により送風される外気との熱交換により凝縮し、低温の冷媒となって、室外熱交換器３３から流出する。室外熱交換器３３から流出した冷媒は、膨張弁３４によって膨張及び減圧され、低温低圧の気液二相冷媒となる。この気液二相冷媒は、室内機１００の室内熱交換器３０に流入し、室内送風機３７により送風される室内空気との熱交換により蒸発し、低温低圧のガス冷媒となって室内熱交換器３０から流出する。このとき、冷媒に吸熱されて冷却された室内空気は、空調空気（吹出風）となって、室内機１００の吹出口１３ｃから室内（空調対象空間）に吹き出される。室内熱交換器３０から流出したガス冷媒は、流路切替装置３２を経由して圧縮機３１に吸入され、再び圧縮される。以上の動作が繰り返される。
【００４０】
次に、空気調和機２００の動作例として暖房運転動作を説明する。圧縮機３１によって圧縮され吐出された高温高圧のガス冷媒は、流路切替装置３２を経由して、室内機１００の室内熱交換器３０に流入する。室内熱交換器３０に流入したガス冷媒は、室内送風機３７により送風される室内空気との熱交換により凝縮し、低温の冷媒となって、室内熱交換器３０から流出する。このとき、ガス冷媒から熱を受け取り暖められた室内空気は、空調空気（吹出風）となって、室内機１００の吹出口１３ｃから室内（空調対象空間）に吹き出される。室内熱交換器３０から流出した冷媒は、膨張弁３４によって膨張及び減圧され、低温低圧の気液二相冷媒となる。この気液二相冷媒は、室外機１５０の室外熱交換器３３に流入し、室外送風機３６により送風される外気との熱交換により蒸発し、低温低圧のガス冷媒となって室外熱交換器３３から流出する。室外熱交換器３３から流出したガス冷媒は、流路切替装置３２を経由して圧縮機３１に吸入され、再び圧縮される。以上の動作が繰り返される。
【００４１】
以上のように、空気調和機２００が実施の形態１又は２に係る室内機１００を備えることによって、実施の形態１又は２の効果を有する空気調和機２００を得ることができる。実施の形態３に係る空気調和機２００は、実施の形態１又は２に係る室内機１００を備えるため、冷媒検知センサ５０が冷媒の漏洩を検知し下限着火濃度に達しないよう安全な空気調和機２００を実現できる。
【００４２】
なお、本発明の実施の形態は、上記実施の形態１〜３に限定されず、種々の変更を加えることができる。例えば、上記の実施の形態１では、貫通孔６１ｄ及び貫通孔６２ｄはスリット状に形成されているが、人の指の太さよりも小さい開口の直径を有する円形状の貫通孔が複数設けられていてもよい。また、室内機１００は、四方向に吹出口１３ｃを形成している四方向カセット型のものについて説明したが、１方向あるいは２方向等、１以上の方向に吹出口１３ｃを形成していればよい。また、室内機１００は、天井埋め込み型のものについて説明したが、室内機１００は、天井埋め込み型のものに限定されるものではなく、例えば、壁掛け型のものでもよい。
【符号の説明】
【００４３】
１０  筐体、１１  天板、１２  側板、１３  化粧パネル、１３ａ  開口部、１３ｂ  外縁部、１３ｃ  吹出口、１４  吸込みグリル、１４ａ  吸込口、１５  ベーン、１６  ベルマウス、２０  送風機、３０  室内熱交換器、３１  圧縮機、３２  流路切替装置、３３  室外熱交換器、３４  膨張弁、３６  室外送風機、３７  室内送風機、４０  電気品箱、４０ａ  側壁、５０  冷媒検知センサ、５１  検知部、６０  センサホルダー、６１  第一収容部、６１ａ  底部、６１ｂ  天板、６１ｃ  側壁、６１ｄ  貫通孔、６１ｅ  側壁、６１ｆ  壁、６２  第二収容部、６２ａ  底部、６２ｂ  天板、６２ｃ  側壁、６２ｄ  貫通孔、６２ｅ  側壁、６２ｆ  壁、６２ｇ  中央部、６３  仕切部、６３ａ  板部、６３ｂ  板部、６４ｂ  膨出部、６４ｂ１  先端部、６４ｂ２  開口部、６４ｂ３  貫通孔、７０  温度センサ、８０  制御部、１００  室内機、１５０  室外機、２００  空気調和機、３００  冷媒配管、４００  冷媒配管。
【図１】
2019162993.tif 000003
【図２】
2019162993.tif 000004
【図３】
2019162993.tif 000005
【図４】
2019162993.tif 000006
【図５】
2019162993.tif 000007
【図６】
2019162993.tif 000008
【図７】
2019162993.tif 000009
【図８】
2019162993.tif 000010
【図９】
2019162993.tif 000011
【図１０】
2019162993.tif 000012
【図１１】
2019162993.tif 000013
【手続補正書】
【提出日】令和2年6月10日(2020.6.10)
【手続補正１】
【補正対象書類名】明細書
【補正対象項目名】０００６
【補正方法】変更
【補正の内容】
【０００６】
本発明に係る空気調和機の室内機は、気体が流入する吸込口が形成された吸込みグリルと、吸込みグリルが取り付けられ、気体が流出する吹出口が形成された化粧パネルと、化粧パネルが取り付けられ、吸込口と吹出口との間に風路を形成する筐体と、筐体内において吸込みグリルと対向して配置されており、吸込口から気体を流入させ、吹出口から気体を流出させる送風機と、筐体内において送風機と吹出口との間の風路に配置され、内部を流れる冷媒と気体とを熱交換させる熱交換器と、冷媒の漏洩を検知する冷媒検知センサと、内部に冷媒検知センサが配置され、冷媒検知センサを筐体内に固定する箱状のセンサホルダーと、センサホルダー内に配置され、吸込口から流入する気体の温度を検知する温度センサと、を備え、吸込みグリルは、熱交換器よりも下方に配置されており、冷媒検知センサは、熱交換器よりも下方に設置されると共に、吸込みグリルと送風機との間に配置されており、センサホルダーは、冷媒検知センサを収容する第一収容部と、温度センサを収容する第二収容部と、を有し、第一収容部の空間と、第二収容部の空間とは、仕切部によって遮断されているものである。
【手続補正２】
【補正対象書類名】特許請求の範囲
【補正対象項目名】全文
【補正方法】変更
【補正の内容】
【特許請求の範囲】
【請求項１】
気体が流入する吸込口が形成された吸込みグリルと、
前記吸込みグリルが取り付けられ、前記気体が流出する吹出口が形成された化粧パネルと、
前記化粧パネルが取り付けられ、前記吸込口と前記吹出口との間に風路を形成する筐体と、
前記筐体内において前記吸込みグリルと対向して配置されており、前記吸込口から前記気体を流入させ、前記吹出口から前記気体を流出させる送風機と、
前記筐体内において前記送風機と前記吹出口との間の前記風路に配置され、内部を流れる冷媒と前記気体とを熱交換させる熱交換器と、
前記冷媒の漏洩を検知する冷媒検知センサと、
内部に前記冷媒検知センサが配置され、前記冷媒検知センサを前記筐体内に固定する箱状のセンサホルダーと、
前記センサホルダー内に配置され、前記吸込口から流入する前記気体の温度を検知する温度センサと、
を備え、
前記吸込みグリルは、
前記熱交換器よりも下方に配置されており、
前記冷媒検知センサは、
前記熱交換器よりも下方に設置されると共に、前記吸込みグリルと前記送風機との間に配置されており、
前記センサホルダーは、
前記冷媒検知センサを収容する第一収容部と、
前記温度センサを収容する第二収容部と、
を有し、
前記第一収容部の空間と、前記第二収容部の空間とは、仕切部によって遮断されている空気調和機の室内機。
【請求項２】
前記冷媒検知センサの検知部は、前記吸込口から前記送風機に向かう前記気体の流れに対して直角に向いて設置されている請求項１に記載の空気調和機の室内機。
【請求項３】
前記センサホルダーは、前記吸込みグリルと前記送風機との間に配置されている請求項１又は２に記載の空気調和機の室内機。
【請求項４】
空気調和機の室内機を制御する制御装置を内部に備えた電気品箱を更に有し、
前記センサホルダーは、前記電気品箱の側壁に固定されている請求項１〜３のいずれか１項に記載の空気調和機の室内機。
【請求項５】
前記センサホルダーには、前記冷媒検知センサと対向する位置に複数の貫通孔が形成されており、
前記複数の貫通孔を形成する前記センサホルダーの各壁間の幅は、人の指の太さよりも小さい請求項１〜４のいずれか１項に記載の空気調和機の室内機。
【請求項６】
前記筐体は、天井内に配置される請求項１〜５のいずれか１項に記載の空気調和機の室内機。
【請求項７】
請求項１〜６のいずれか１項に記載の空気調和機の室内機を備えた空気調和機。
【国際調査報告】
2019162993.tif 000014
2019162993.tif 000015
2019162993.tif 000016
2019162993.tif 000017